(57)【要約】【課題】浴室内を壁面照明器具で間接照明して浴室内をリラックスできる雰囲気とし、この雰囲気のもとでアロマテラピー効果を得ることができて入浴者がリラックスできる浴室照明装置を提供する。【解決手段】浴室の壁１に浴室内を間接照明する壁面照明器具２を設ける。壁面照明器具２上に芳香剤２８を入れるための芳香剤容器３を着脱自在に取り付ける。壁面照明器具２に芳香剤容器３を加熱するための加熱手段を設ける。【選択図】図１
2008053185.tif 000002
【特許請求の範囲】
【請求項１】
浴室の壁に浴室内を間接照明する壁面照明器具を設け、該壁面照明器具上に芳香剤を入れるための芳香剤容器を着脱自在に取り付け、壁面照明器具に芳香剤容器を加熱するための加熱手段を設けて成ることを特徴とする浴室照明装置。
【請求項２】
前記芳香剤容器を透光性を有する合成樹脂で形成し、該芳香剤容器を壁面照明器具からの発光が通過する位置に取り付けて成ることを特徴とする請求項１に記載の浴室照明装置。
【請求項３】
浴室の壁と壁面照明器具の上端部の後端との間に凹部を形成し、芳香剤容器の後端部から下方に向けて凸部を突設し、芳香剤容器の凸部を前記凹部に嵌合して成ることを特徴とする請求項１又は請求項２に記載の浴室照明装置。
【請求項４】
前記加熱手段を壁面照明器具の光源である発光体で構成して成ることを特徴とする請求項１乃至３のいずれか一項に記載の浴室照明装置。
【請求項５】
前記加熱手段をヒータで構成して成ることを特徴とする請求項１乃至４のいずれか一項に記載の浴室照明装置。
【請求項６】
壁面照明器具を点灯した時に前記ヒータをＯＮにし、壁面照明器具を消灯した時に前記ヒータをＯＦＦにする制御手段を設けて成ることを特徴とする請求項５に記載の浴室照明装置。
【請求項７】
前記芳香剤容器を壁面照明器具に取り付けたことを検知する検知手段を設け、壁面照明器具に芳香剤容器が取り付けられていない時にヒータをＯＦＦにする制御手段を設けて成ることを特徴とする請求項５に記載の浴室照明装置。
【発明の詳細な説明】
【技術分野】
【０００１】
本発明は浴室照明装置に関する。
【背景技術】
【０００２】
従来、特許文献１に示すように浴室内を入浴者がリラックスできる空間とするために浴室の壁に浴室内を間接照明する壁面照明器具を設けた浴室照明装置があるが、この壁面照明器具は入浴者を視覚的にリラックスさせるだけであり、あまりリラックス効果が得られないという問題がある。
【０００３】
また近年ではアロマテラピーと称される芳香療法が知られている。このアロマテラピーは例えば温水にエッセンシャルオイル（精油）を数滴垂らしてなる芳香剤をアロマポットに入れ、これを蝋燭で加熱するなどして芳香剤の香り立ちを良くし、これにより芳香剤から発生する薬草や花等の芳香を室内に発散して室内に居る人に対して精神的な安らぎを与えるものである。しかしこのようなアロマテラピーを上記したような壁面照明器具で行えるようにしたものは従来には存在しなかった。
【特許文献１】特開２００４−１５２５０８号公報
【発明の開示】
【発明が解決しようとする課題】
【０００４】
本発明は上記従来の問題点に鑑みて発明したものであって、浴室内を壁面照明器具で間接照明して浴室内をリラックスできる雰囲気とし、この雰囲気のもとでアロマテラピー効果を得ることができて入浴者がリラックスできる浴室照明装置を提供することを課題とするものである。
【課題を解決するための手段】
【０００５】
上記課題を解決するために本発明に係る浴室照明装置は、浴室の壁１に浴室内を間接照明する壁面照明器具２を設け、該壁面照明器具２上に芳香剤２８を入れるための芳香剤容器３を着脱自在に取り付け、壁面照明器具２に芳香剤容器３を加熱するための加熱手段を設けて成ることを特徴とする。
【０００６】
上記構成により、芳香剤容器３に芳香剤２８を入れて、この芳香剤容器３を壁面照明器具２に設けた加熱手段により加熱し、これにより芳香剤２８を加熱して芳香剤２８による香りの発生を促進でき、この結果、芳香剤２８を浴室内に発散して入浴者に対して精神的な安らぎを与えることができ、またこのアロマテラピー効果は壁面照明器具２を点灯した状態で得られる
また前記芳香剤容器３を透光性を有する合成樹脂で形成し、該芳香剤容器３を壁面照明器具２からの発光が通過する位置に取り付けることが好ましい。この場合、壁面照明器具２から発した光を芳香剤容器３を透過させて浴室内を照明することができる。また芳香剤容器３は合成樹脂からなるので、透光性を有するガラスで形成した場合と比較して芳香剤容器３の伝熱性を向上でき、これにより壁面照明器具２に設けた加熱手段により芳香剤容器３を効率良く加熱することができる。
【０００７】
また浴室の壁１と壁面照明器具２の上端部の後端との間に凹部２４を形成し、芳香剤容器３の後端部から下方に向けて凸部２６を突設し、芳香剤容器３の凸部２６を前記凹部２４に嵌合することが好ましい。浴室の壁１と壁面照明器具２の上端部の後端との間に形成した凹部２４と、芳香剤容器３の後端部から下方に向けて突設した凸部２６との嵌合により芳香剤容器３を壁面照明器具２上に確実に固定できる。
【０００８】
また前記加熱手段を壁面照明器具２の光源である発光体１１で構成することが好ましい。壁面照明器具２の光源を利用して芳香剤容器３を加熱できる。
【０００９】
また前記加熱手段をヒータ３０で構成することが好ましい。ヒータ３０を用いて電気的に熱を発生し、芳香剤容器３内の芳香剤を確実に加熱できる。
【００１０】
また壁面照明器具２を点灯した時に前記ヒータ３０をＯＮにし、壁面照明器具２を消灯した時に前記ヒータ３０をＯＦＦにする制御手段を設けることが好ましい。ヒータ３０のＯＮ・ＯＦＦを壁面照明器具２の点灯・消灯の切り替えに連動させることができ、壁面照明器具２が点灯している状態でのみアロマテラピー効果を得ることができる。
【００１１】
また前記芳香剤容器３を壁面照明器具２に取り付けてあることを検知する検知手段を設け、壁面照明器具２に芳香剤容器３が取り付けられていない時にヒータ３０をＯＦＦにする制御手段を設けることが好ましい。壁面照明器具２に芳香剤容器３が取り付けられていない時にはヒータ３０を自動的にＯＦＦにできて省エネを実現できる。
【発明の効果】
【００１２】
請求項１に係る発明では、浴室内を壁面照明器具で間接照明して浴室内をリラックスできる雰囲気とし、この雰囲気のもとでアロマテラピー効果を得ることができて入浴者がリラックスできる浴室照明装置を提供できる。
【００１３】
また請求項２に係る発明では、請求項１に係る発明の効果に加えて、壁面照明器具から発した光を芳香剤容器を透過させて浴室内を照明することができ、また芳香剤容器は合成樹脂からなるので、芳香剤容器を透光性を有するガラスで形成した場合と比較して、芳香剤容器の伝熱性を向上でき、これにより壁面照明器具に設けた加熱手段により芳香剤容器を効率良く加熱できる。
【００１４】
また請求項３に係る発明では、請求項１又は請求項２に係る発明の効果に加えて、芳香剤容器を壁面照明器具上に確実に固定でき、芳香剤容器が壁面照明器具から落下することを防止できる。
【００１５】
また請求項４に係る発明では、請求項１乃至請求項３のいずれか一項に係る発明の効果に加えて、壁面照明器具の光源を利用して芳香剤容器内の芳香剤を加熱できる。
【００１６】
また請求項５に係る発明では、請求項１乃至請求項４のいずれか一項に係る発明の効果に加えて、ヒータを用いて電気的に熱を発生して芳香剤容器内の芳香剤を確実に加熱できる。
【００１７】
また請求項６に係る発明では、請求項５に係る発明の効果に加えて、壁面照明器具が点灯している状態でのみ上記アロマテラピーを行うことができる。
【００１８】
また請求項７に係る発明では、請求項５に係る発明の効果に加えて、壁面照明器具に芳香剤容器が取り付けられていない時にはヒータを自動的にＯＦＦにできて省エネを実現できる。
【発明を実施するための最良の形態】
【００１９】
以下、本発明を添付図面に示す実施形態に基づいて説明する。図１乃至図３に示すように浴室照明装置は浴室の壁１に取り付けられる壁面照明器具２と、該壁面照明器具２上に着脱自在に取り付けられる芳香剤容器３を備えている。
【００２０】
壁面照明器具２は外郭をボックス４で構成してあり、壁１から浴室側に突出するように設置されるボックス４内には光源としてのＬＥＤのような発光体１１を備えた発光体ユニット１２を配設している。
【００２１】
ボックス４は図４に示すように前方に開口した正面視長方形箱状のボックス本体５と、ボックス本体５に取付けられる平面視コ字状のカバー６とからなる。
【００２２】
ボックス本体５は乳白色で透光性を有すると共に透過する光を拡散する性質を有し、尚且つ耐薬品性を有するＰＰ（ポリプロピレン）等の合成樹脂からなる。ボックス本体５の後壁部の両側には固着具用孔１４を貫通形成してあり、各固着具用孔１４に挿通したビス（図示せず）のような固着具を介して壁１に固着している。
【００２３】
図１に示すように発光体ユニット１２はボックス本体５内の後部の中央部に収納されている。発光体ユニット１２の外郭は熱伝導性の良い金属であるアルミダイキャストで形成したケース１５で構成してあり、前方に開口する箱状のケース１５の奥面に取付けた発光体１１はポッティング材２３に埋設してある。発光体ユニット１２をボックス本体５に取り付けるには、ボックス本体５の後壁部に形成したボルト挿通孔１６に後方からボルト３５を挿通し、ボルト３５の先端をケース１５を通してナット３７に螺合する。
【００２４】
ボックス本体５に取付けた発光体ユニット１２はケース１５の上面をボックス本体５の天壁部の後部の内面に熱伝導性の良いシリコングリス１９を介して接しており、これにより発光体ユニット１２の上面はグリス１９を介してボックス本体５にぴったりと密着している。従って発光体ユニット１２の発光体１１を発光した場合には、該発光体１１の発熱によりボックス本体５の天壁部が加熱されるようになっている。なお本実施形態の発光体ユニット１２はその下面と周縁部から後方に突出した部分がボックス本体５に接触した状態でボックス本体５に固定されている。
【００２５】
ボックス本体５の後壁部の中央からは筒部９を後方に向けて突設してあり、筒部９は浴室の壁１に形成した貫通孔１３に挿入している。筒部９の内側に貫通形成した孔９ａの前端はボックス本体５の内側空間に向けて開口し、後端は壁１の裏側に向けて開口している。孔９ａはケース１５内に配設した発光体１１の電線２０を通すための孔であり、この孔９ａを介して壁１の裏側に引き出された電線２０は電源に接続してあり、これにより発光体ユニット１２の発光体１１に電力が供給されるようになっている。なお図示は省略するが、浴室の壁１や浴室に隣接する脱衣所の壁等の浴室の出入り口付近には壁面照明器具２のスイッチを設けてあり、スイッチを操作することで壁面照明器具２の発光体１１の点灯と消灯を切り替えられるようになっている。
【００２６】
ボックス本体５の後壁部の上部及び下部の夫々には後方に向けて突出するリブ１７、１８を形成してあり、ボックス本体５は各リブ１７、１８の突端を壁１に当接した状態で壁１に取り付けている。両リブ１７、１８のうち、上側のリブ１７の突出長さは下側のリブ１８の突出長さよりも長く、長い上側のリブ１７の突端と短い下側のリブ１８の突端を共に壁１に当接することで、ボックス本体５の水平な天壁部の上面をボックス本体５を壁１に取り付けた状態では前方に行く程下方に位置するようにやや傾斜するようにし、これによりボックス本体５上の水を前方にスムーズに流れるようにしてボックス本体５上に水が溜まることを防止している。
【００２７】
また壁１に取付けたボックス本体５の後面と壁１の間には前述の貫通孔１３を介して水が浴室外に漏れ出ることを防止するパッキン８を介在させてあり、該パッキン８は前述のボックス本体５の上部に設けたリブ１７と下部に設けたリブ１８の間に配置されている。ここでボックス本体５を壁１に取り付ける場合、両リブ１７、１８間にリブ１７の突出長さよりもやや厚いパッキン８を収納し、このボックス本体５を各リブ１７、１８の突端が壁１に当接するようにしている。このようにすることでパッキン８の圧縮量を各リブ１７、１８によって適切な値に規制することができる。またボックス本体５はリブ１７、１８を壁１に当接して取り付けることで、壁１とボックス本体５の上端部の後端（即ち壁面照明器具２の上端部の後端）との間に上方に開口する凹部２４を形成している。
【００２８】
カバー６は遮光性を有し且つ耐薬品性を有するＡＢＳ等の合成樹脂からなる。カバー６の両側壁部の内面には嵌込部２１を突出形成してあり、各嵌込部２１をボックス本体５の各側壁部の外面に形成した溝２２に嵌め込むことで、カバー６をボックス本体５に取り付けている。カバー６の前壁部はボックス本体５の前面開口を閉塞し、またカバー６の両側壁部はボックス本体５の両側壁部を覆っている。
【００２９】
発光体ユニット１２の内部の発光体１１から発した光は発光体ユニット１２の前方に向かって照射され、ボックス４の前面部を構成するカバー６の前壁部の内面に当たるようになっている。そしてこのようにカバー６の前壁部に当たって反射した発光体１１からの光は図１の矢印に示すようにボックス本体５の天壁部の前部及び底壁部の前部を透過してボックス４の上方及び下方に漏れ出し、これにより壁面照明装置による間接照明が実現する。このような浴室内の間接照明を行う壁面照明器具２はボックス４の上下から出る柔らかな光により浴室に居る人にリラックス効果を与えることができる。
【００３０】
芳香剤容器３はアロマ効果を発生させる芳香剤２８を入れるためのものであり、芳香剤容器３内に貯留される芳香剤２８としては例えば水（好ましくは４３℃以下の温水）にエッセンシャルオイル（精油）を数滴（２、３滴）垂らしてなる液体の芳香剤が用いられる。
【００３１】
芳香剤容器３は透光性を有するＰＰ（ポリプロピレン）のような合成樹脂からなり、平面視で長方形状で外周に周壁部を立設した上方に開口する皿状に形成されている。図５に示すように芳香剤容器３の外周端部には下方に向けて突出する突起２５を全周に亘って形成してあり、これにより芳香剤容器３の下面に下方に開口する凹所２７を形成している。
【００３２】
芳香剤容器３を上記壁１に設置した壁面照明器具２に取り付けるには、芳香剤容器３の凹所２７内にボックス４の天壁部を嵌め込み、芳香剤容器３の下面（凹所２７の上底面）をボックス４の天壁部の上面に当接した状態で芳香剤容器３をボックス４上に載置し、これにより芳香剤容器３を壁面照明器具２のボックス４に固定する。
【００３３】
ここで図１に示すようにｂボックス４の上端部の四方の角部を弧状にしてＲを形成した場合、ボックス４の上端部を芳香剤容器３の下面の凹所２７に嵌め込んだ場合、突起２５と角部の係合が外れる恐れがある。そこで図５に示すように上記芳香剤容器３の全周に亘って形成した突起２５のうち後側（壁１側）の一辺を構成する突起２５ａは他部よりもやや下方に突出し、この突起２５ａで前述のリブ１７の上方に形成された凹部２４に着脱自在に嵌めこまれる凸部２６を構成し、この芳香剤容器３の後端部から下方に向けて突設した突出長さの長い凸部２６は前述の凹部２４に嵌め込むことが好ましい。この場合、他部よりも長い突起２５ａからなる凸部２６を凹部２４に嵌めこむことで、芳香剤容器３をボックス４に確実に固定でき、芳香剤容器３が落下することを防止できる。
【００３４】
上記のように芳香剤容器３を壁面照明器具２に取り付けた場合、芳香剤容器３の下面は壁面照明器具２の上面に当接するので、前述したように発光体１１を発光してボックス本体５の天壁部を加熱した場合には、芳香剤容器３が加熱されることとなる。即ち本実施形態では壁面照明器具２の発光体１１を芳香剤容器３を加熱する加熱手段を構成している。またこの場合、芳香剤容器３の底面部の前部は壁面照明器具２のボックス本体５における透光性を有する天壁部の前部に対向する。従って壁面照明器具２の発光体１１を発光した場合には、ボックス本体５の天壁部の前部から漏れ出す光が芳香剤容器３の底面部の前部及び芳香剤容器３内の芳香剤２８を透過する。
【００３５】
以上説明した浴室照明装置にあっては、浴室の壁１に浴室内を間接照明する壁面照明器具２を設け、該壁面照明器具２上に芳香剤２８を入れるための芳香剤容器３を着脱自在に取り付け、壁面照明器具に芳香剤容器を加熱するための加熱手段を設けたので、芳香剤２８を入れた芳香剤容器３を壁面照明器具２に取り付け、壁面照明器具２を点灯することで、芳香剤容器３を壁面照明器具２に設けた発光体１１により加熱でき、これにより芳香剤容器３内の芳香剤２８を加温したり高温を維持したりできて芳香剤２８による香りの発生を促進でき、この結果、芳香を浴室内に発散して浴室内に居る人に対して精神的な安らぎを与えてアロマテラピーを行うことができる。さらには浴室内を壁面照明器具２で間接照明して浴室内をリラックスできる雰囲気とすることができ、この雰囲気のもとで上記アロマテラピー効果を得ることができ入浴者は一層リラックスできる。
【００３６】
また本実施形態では芳香剤容器３を透光性を有する合成樹脂で形成し、該芳香剤容器３を壁面照明器具２からの発光が通過する位置に取り付けたので、壁面照明器具２から発した光を芳香剤容器３を透過させて浴室内を照明することができ、またこの場合、壁面照明器具２からの光を芳香剤容器３内の液体の芳香剤２８に通過させた水中照明のような発光を実現できる。また芳香剤容器３は合成樹脂からなるので、芳香剤容器３を透光性を有するガラスで形成した場合と比較して、芳香剤容器３の伝熱性を向上でき、これにより壁面照明器具２に設けた加熱手段により芳香剤容器３を効率良く加熱することができる。また芳香剤容器３をステンレス等の金属とすることも考えられるが、この場合は伝熱性を向上することはできるが壁面照明器具２からの発光を透過できないという問題が生じるため、上記のように芳香剤容器３を透光性を有する合成樹脂で形成するのはこの点でも良い。
【００３７】
なお上記実施形態では発光体ユニット１２の上面をグリス１９を介してボックス本体５の天壁部の内面に接触させて熱的に接続したが、図６に示すように発光体ユニット１２の上面をボックス本体５の天壁部の内面に直接接触させても良いものとする。
【００３８】
また上記実施形態では芳香剤容器３を加熱するための加熱手段を壁面照明器具２が有する発光体１１としたが、例えば図７に示すように加熱手段をヒータ３０で構成しても良い。
【００３９】
図７の例では加熱手段としてのヒータ３０をボックス本体５の天壁部の後部の内面に設けてあり、該ヒータ３０はボックス４内の後部における発光体ユニット１２の上方に位置している。ヒータ３０は壁面照明器具２（発光体１１）と該壁面照明器具２の点灯と消灯を切り替えるためのスイッチ３２の間に壁面照明器具２と並列で接続して電源３３に接続してあり、スイッチ３２をＯＮにして壁面照明器具２を点灯した場合にはヒータ３１が自動的にＯＮになり、且つスイッチ３２をＯＦＦにして壁面照明器具２を消灯した場合にはヒータ３１が自動的にＯＦＦになる。
【００４０】
しかして上記スイッチ３２をＯＮにしてヒータ３０をＯＮにした場合には、ヒータ３０によりこれに接触するボックス本体５の天壁部が加熱され、これにより芳香剤容器３を加熱できる。またヒータ３０は前方に光を照射する発光体ユニット１２の上方に位置するため、発光体１１から発する光がヒータによって遮られることがなく、壁面照明器具２の発光には影響しない。さらに図７の回路からなる制御手段により、壁面照明器具２を点灯した時にヒータ３０をＯＮにし、壁面照明器具２を消灯した時にヒータ３０をＯＦＦにする制御を行うことができ、ヒータのＯＮ・ＯＦＦを壁面照明器具の点灯・消灯に連動させることができ、壁面照明器具が点灯している状態でのみ上記アロマテラピーを行うことができる。
【００４１】
またこの場合、図８及び図９に示すように芳香剤容器を壁面照明器具に取り付けたことを検知する検知手段を設け、壁面照明器具に芳香剤容器が取り付けられていない時にヒータをＯＦＦにする制御手段を設けることが好ましい。
【００４２】
図８では芳香剤容器３の下面の後端部に磁石３５を設け、壁面照明器具２の前記磁石３５に対応する位置（詳しくはボックス本体５の天壁部の内面で且つ発光体ユニット１２の上方）にリードスイッチ３６を設けてあり、磁石３５とリードスイッチ３６で検知手段を構成している。即ち壁面照明器具２に芳香剤容器３を取り付けた場合にはリードスイッチ３６が磁石３５の磁力によりＯＮとなり、また壁面照明器具２から芳香剤容器３を取り外した場合にはリードスイッチ３６がＯＦＦとなるようにしてある。図９に示すようにヒータ３０は壁面照明器具２とスイッチ３２の間にリードスイッチ３６を介して接続してあり、リードスイッチ３６がＯＮの時にはヒータ３０がＯＮとなり、リードスイッチ３６がＯＦＦの時にはヒータ３０がＯＦＦとなる。
【００４３】
しかしてスイッチ３２をＯＮにした状態で芳香剤容器３を壁面照明器具２に取り付けた場合には、図９の回路からなる制御手段によりヒータ３０がＯＮとなって芳香剤容器３が自動的に加熱され、また芳香剤容器３を壁面照明器具２から取り外した場合にはヒータ３０がＯＦＦとなり省エネを実現できる。
【００４４】
なお上記実施形態では加熱手段を発光体１１又はヒータ３０で構成したが、加熱手段として発光体１１及びヒータ３０の両方を設けても良いものとする。
【図面の簡単な説明】
【００４５】
【図１】本発明の実施の形態の一例を示す断面図である。
【図２】同上の壁面照明器具に芳香剤容器を取り付けた状態を示す斜視図である。
【図３】同上の壁面照明器具から芳香剤容器を取り外した状態を示す斜視図である。
【図４】同上の壁面照明器具の分解斜視図である。
【図５】同上の芳香剤容器の側面図である。
【図６】他例の壁面照明器具を壁に設置した状態を示す断面図である。
【図７】更に他例の浴室照明装置を示す説明図である。
【図８】更に他例の浴室照明装置を示す説明図である。
【図９】同上の回路図である。
【符号の説明】
【００４６】
１  壁
２  壁面照明器具
３  芳香剤容器
２４  凹部
２６  突部
２８  芳香剤
３０  ヒータ
【図１】
2008053185.tif 000003
【図２】
2008053185.tif 000004
【図３】
2008053185.tif 000005
【図４】
2008053185.tif 000006
【図５】
2008053185.tif 000007
【図６】
2008053185.tif 000008
【図７】
2008053185.tif 000009
【図８】
2008053185.tif 000010
【図９】
2008053185.tif 000011